(57)【要約】【課題】クレードルに装着されたとき、極めて簡単で容易な作業をもって、テレビジョン（ＴＶ）放送信号に応じた質の高い映像及び音声信号が得られ、質的に優れた画像及び音声の表示及び再生さらには記録がなされる状態が得られることになるものとする。【解決手段】付属アンテナ３０，ＴＶ信号に基づく映像及び音声信号を得るＴＶ機能部３１，記録再生機能部３４，クレードル５０の外部コネクタ部５１に連結される付属コネクタ部２６，付属アンテナからの第１のＴＶ放送信号と付属コネクタ部を通じて供給される外部アンテナからの第２のＴＶ放送信号とを選択的に取り出してＴＶ機能部に供給するアンテナ出力切換部２７、及び、付属コネクタ部が外部コネクタ部に連結されるとき、アンテナ出力切換部に第２のＴＶ放送信号を取り出させるとともに、記録再生機能部に映像及び音声信号の記録を行う状態を選択的にとらせる動作制御部４０を備える。【選択図】図１
2005073006.tif 000002
【特許請求の範囲】
【請求項１】
テレビジョン放送信号受信用の付属アンテナと、
テレビジョン放送信号に基づく映像信号及び音声信号を得るテレビジョン機能部と、
映像信号及び音声信号の記録及び再生を行い、再生映像信号及び再生音声信号を送出する記録再生機能部と、
全体が着脱自在に装着されるクレードルに設けられた外部コネクタ部に連結される付属コネクタ部と、
上記付属アンテナからの第１のテレビジョン放送信号と上記付属コネクタ部を通じて供給される外部アンテナからの第２のテレビジョン放送信号とを選択的に取り出し、上記テレビジョン機能部に供給するアンテナ出力切換部と、
上記テレビジョン機能部から得られる第１の映像信号と上記付属コネクタ部を通じて供給される第２の映像信号とを選択的に取り出す映像信号切換部と、
上記テレビジョン機能部から得られる第１の音声信号と上記付属コネクタ部を通じて供給される第２の音声信号とを選択的に取り出す音声信号切換部と、
上記映像信号切換部により取り出される映像信号もしくは上記記録再生機能部から送出される再生映像信号に基づく画像を表示する画像表示部と、
上記音声信号切換部により取り出される音声信号もしくは上記記録再生機能部から送出される再生音声信号に基づく音声を発する音声出力部と、
上記付属コネクタ部が上記クレードルに設けられた外部コネクタ部に連結されないとき、上記アンテナ出力切換部に、上記第１のテレビジョン放送信号を取り出す状態をとらせ、上記付属コネクタ部が上記クレードルに設けられた外部コネクタ部に連結されたとき、上記アンテナ出力切換部に、上記第２のテレビジョン放送信号を取り出す状態をとらせるとともに、上記記録再生機能部に、上記映像信号切換部及び音声信号切換部により夫々取り出される映像信号及び音声信号の記録を行う状態を選択的にとらせる制御を自動的に行う動作制御部と、
を備えて構成される携帯型電子機器。
【請求項２】
上記動作制御部が、上記付属コネクタ部が上記クレードルに設けられた外部コネクタ部に連結されないとき及び連結されたときのいずれにおいても、上記記録再生機能部に、映像信号及び音声信号の再生を行って再生映像信号及び再生音声信号を送出する状態をとらせる制御を行えることを特徴とする請求項１記載の携帯型電子機器。
【請求項３】
上記動作制御部が、上記付属コネクタ部が上記クレードルに設けられた外部コネクタ部に連結されないとき及び連結されたときのいずれにおいても、上記テレビジョン機能部及び上記記録再生機能部に、予め設定した時刻が到来したとき上記映像信号切換部及び音声信号切換部により夫々取り出される第１の映像信号及び第１の音声信号の記録を行う状態を開始させ、その後の予め設定した時刻が到来したとき上記映像信号切換部及び音声信号切換部により夫々取り出される第１の映像信号及び第１の音声信号の記録を行う状態を終了させるための設定を行えることを特徴とする請求項１記載の携帯型電子機器。
【請求項４】
上記動作制御部が、上記付属コネクタ部が上記クレードルに設けられた外部コネクタ部に連結されたとき、上記アンテナ出力切換部に上記第２のテレビジョン放送信号を選択する状態をとらせる制御に加えて、上記映像信号切換部に上記第１の映像信号を取り出す状態を初期設定としてとらせる制御及び上記音声信号切換部に上記第１の音声信号を取り出す状態を初期設定としてとらせる制御を行うことを特徴とする請求項１記載の携帯型電子機器。
【請求項５】
上記動作制御部に連結された制御操作部を備え、上記動作制御部が、上記制御操作部における操作に応じ、該操作に従う制御を優先させるもとで、上記アンテナ出力切換部，映像信号切換部及び音声信号切換部の夫々による信号選択動作についての制御を行うことを特徴とする請求項１から請求項４までのいずれかに記載の携帯型電子機器。
【請求項６】
バッテリ装着部を備え、上記動作制御部が、上記付属コネクタ部が上記クレードルに設けられた外部コネクタ部に連結されていないとき、上記バッテリ装着部に装着されたバッテリからの電圧に基づく電源電圧が各部に供給される状態となし、また、上記付属コネクタ部が上記クレードルに設けられた外部コネクタ部に連結されたとき、上記付属コネクタ部を通じて供給される外部電圧に基づく電源電圧が各部に供給される状態となすことを特徴とする請求項１から請求項５までのいずれかに記載の携帯型電子機器。
【発明の詳細な説明】
【技術分野】
【０００１】
本願の特許請求の範囲に記載された発明は、付属アンテナを通じたテレビジョン放送信号から再生された映像信号及び音声信号に基づく画像及び音声と、外部アンテナを通じたテレビジョン放送信号から再生された映像信号及び音声信号に基づく画像及び音声もしくは外部から供給される映像信号及び音声信号に基づく画像及び音声とを、選択的に出力することができ、さらに、映像信号及び音声信号についての記録及び再生をも行うことができる携帯型電子機器に関する。
【背景技術】
【０００２】
映像信号に基づく画像を表示することができる装置として、近年、小型で薄型の液晶を利用した画像表示パネル、即ち、液晶表示パネルが急速に普及してきており、それに伴って、斯かる液晶表示パネルが用いられた、小型の携帯型テレビジョン受像機が提案されている。このような液晶表示パネルが用いられた小型の携帯型テレビジョン受像機は、テレビジョン放送信号から映像信号と音声信号とを得、映像信号に基づく画像を表示する機能と音声信号に基づく音声を再生する機能とを具えたものとして、液晶表示パネルが組み込まれた画像表示部と各種の動作制御を行うための制御操作部とを備えた本体を有し、その本体に、ＶＨＦ(Very High Frequency) あるいはＵＨＦ(Ultra High Frequency)テレビジョン放送信号等のテレビジョン放送信号を受けるためのアンテナ，音声を再生するためのヘッドフォーンあるいはイアフォーン等が付属するものとされる。
【０００３】
また、映像信号及び音声信号の記録及び再生を、例えば、メモリースティック(MEMO-RY STICK: ソニー株式会社の登録商標）と称される薄型板状の半導体記録媒体を用いて行う、極めて小型な記録再生システムが、既に提案されている。そこで、斯かる記録再生システムを、上述の小型の携帯型テレビジョン受像機に組み込むことにより、小型の携帯型テレビジョン受像機を、映像信号及び音声信号についての記録再生を行う機能をも具えたものとすることが考えられる。
【０００４】
このような、画像表示部と制御操作部とを備えた本体を有し、テレビジョン放送信号から映像信号と音声信号とを得て、映像信号に基づく画像を表示するとともに音声信号に基づく音声を再生する機能を具え、さらには、映像信号及び音声信号についての記録再生を行う機能をも具えたものともされる、小型の携帯型テレビジョン受像機にあっては、携帯の用に供されていないときには、然るべき場所に収納されるもの、もしくは、比較的大型の機器とされる据置型テレビジョン受像機と同様に、然るべき場所に設置されるものとされるのが、使用者にとって便利である。それゆえ、携帯型テレビジョン受像機についての専用の載置台（クレードル）を用意して携帯型テレビジョン受像機の付属品とし、携帯型テレビジョン受像機を作動させないときには、本体を当該クレードルに装着しておくこと、あるいは、本体を当該クレードルに装着し、携帯型テレビジョン受像機を実質的に据置型としたもとで作動させること等が考えられる。
【０００５】
このような、例えば、携帯型テレビジョン受像機とされる携帯型電子機器について、その付属品とされた専用クレードルを用いるものは、従来、幾つかのタイプのものが見られる。その典型的なものの一例を挙げれば、表示パネルが設けられた携帯情報端末装置を、それに専用のものとして備えられたクレードルに装着した状態のもとにおいても装着しない状態のもとにおいても、表示パネルによる情報伝達を行えるものとすることが知られている（例えば、特許文献１参照。）。
【０００６】
クレードルに対する着脱がなされる携帯型電子機器が、上述された携帯型テレビジョン受像機である場合のように、テレビジョン放送信号に基づく画像を表示するとともに音声を再生するテレビジョン機能、及び、映像及び音声信号の記録及び再生を行う記録再生機能を備えているものである場合、それに備えられた付属アンテナとそれに接続されたチューナ部とによって、ＶＨＦあるいはＵＨＦテレビジョン放送信号等のテレビジョン放送信号を受信することになる。その際、付属アンテナは、携帯の便が考慮されて、例えば、伸縮可能なロッドアンテナとされ、不使用時には、縮められて本体を形成する匣体の内部もしくは外面部に設けられた格納部位に納められ、使用時には、格納部位から外されて引き伸ばされる。
【０００７】
即ち、クレードルに対する着脱がなされるテレビジョン機能及び記録再生機能を備えた携帯型電子機器においては、本体がクレードルから取り外されて携帯の用に供される場合のみならず、本体がクレードルに装着されて実質的に据置型のものとして使用される場合においても、例えば、伸縮可能なロッドアンテナとされる付属アンテナとそれに接続されたチューナ部とによって、テレビジョン放送信号を受信することになる。斯かる際におけるテレビジョン放送信号は、例えば、ＶＨＦあるいはＵＨＦテレビジョン放送信号とされる。
【特許文献１】特開２００３ー１５０２７５号公報
【発明の開示】
【発明が解決しようとする課題】
【０００８】
テレビジョン機能及び記録再生機能を備えた携帯型電子機器に備えられる、例えば、伸縮可能なロッドアンテナとされる付属アンテナは、通常、携帯の便が優先され、物理的制約が課せられて、ＶＨＦあるいはＵＨＦテレビジョン放送信号等のテレビジョン放送信号に対するアンテナ性能は然程優れたものとはされない。それゆえ、上述のように、クレードルに対する着脱がなされるテレビジョン機能及び記録再生機能を備えた携帯型電子機器にあっては、本体がクレードルから取り外されて携帯の用に供される場合及び本体がクレードルに装着されて実質的に据置型のものとして使用される場合のいずれにおいても、例えば、伸縮可能なロッドアンテナとされる付属アンテナとそれに接続されたチューナ部とによって受信されるテレビジョン放送信号は、良好な受信状態のもとで得られるものとは言い難いものとなる。
【０００９】
その結果、受信されたテレビジョン放送信号に基づいて得られる映像信号及び音声信号が、良質のものとは言えなくなり、斯かる映像信号及び音声信号に基づいて表示される画像及び再生される音声も、質的に劣ったものとなってしまう。また、記録再生機能によって、良質のものとは言えない映像信号及び音声信号についての、例えば、メモリースティック等の記録媒体への記録が行われることになってしまう。
【００１０】
このことは、テレビジョン機能及び記録再生機能を備えた携帯型電子機器が、その本体がクレードルから取り外されて携帯の用に供され、テレビジョン放送信号についての受信場所あるいは受信環境が変化するもとにあっては、止むを得ないこととも考えられるが、本体がクレードルに装着されて実質的に据置型のものとして使用されるもとにあっては、改善が図られることが望まれるところとなる。
【００１１】
この点に関して、テレビジョン機能及び記録再生機能を備えた携帯型電子機器が、その本体がクレードルに装着されて実質的に据置型のものとして使用されるときには、別途に設けられた、ＶＨＦあるいはＵＨＦテレビジョン放送信号等のテレビジョン放送信号に対するアンテナ性能に優れた外部アンテナを通じて得られるテレビジョン放送信号を供給し、例えば、伸縮可能なロッドアンテナとされる付属アンテナを使用することなく、受信されたテレビジョン放送信号に基づく映像信号及び音声信号を得るようにすることが考えられる。しかしながら、このようにするためには、携帯型電子機器に、外部アンテナからのテレビジョン放送信号を受け入れるための構成上の改造が必要とされ、また、その都度、機器に外部アンテナを接続するとともに備えられた付属アンテナを切り離すという、煩わしい作業が必要とされることになってしまう。
【００１２】
斯かる点に鑑み、本願の特許請求の範囲に記載された発明は、テレビジョン放送信号に基づく画像を表示するとともに音声を再生するテレビジョン機能、及び、映像及び音声信号の記録及び再生を行う記録再生機能を備えたものとされ、クレードルに対する着脱が可能とされて、クレードルからの取外しがなされて携帯の用に供される場合及びクレードルへの装着がなされた場合のいずれにおいても、テレビジョン放送信号に応じた映像信号及び音声信号を得て、それらに基づく画像表示及び音声再生を行うことができ、特に、クレードルへの装着がなされたもとにおいては、煩わしい作業が要されることのない、極めて簡単で容易な作業をもって、テレビジョン放送信号に応じた質の高い映像信号及び音声信号が得られて、質的に優れた画像及び音声の表示及び再生がなされる状態、及び、質の高い映像信号及び音声信号が記録媒体に記録される状態が得られる携帯型電子機器を提供する。
【課題を解決するための手段】
【００１３】
本願の特許請求の範囲における請求項１から請求項６までのいずれかに記載された発明に係る携帯型電子機器は、テレビジョン放送信号受信用の付属アンテナと、テレビジョン放送信号に基づく映像信号及び音声信号を得るテレビジョン機能部と、映像信号及び音声信号の記録及び再生を行い、再生映像信号及び再生音声信号を送出する記録再生機能部と、全体が着脱自在に装着されるクレードルに設けられた外部コネクタ部に連結される付属コネクタ部と、付属アンテナからの第１のテレビジョン放送信号と付属コネクタ部を通じて供給される外部アンテナからの第２のテレビジョン放送信号とを選択的に取り出し、テレビジョン機能部に供給するアンテナ出力切換部と、テレビジョン機能部から得られる第１の映像信号と付属コネクタ部を通じて供給される第２の映像信号とを選択的に取り出す映像信号切換部と、テレビジョン機能部から得られる第１の音声信号と付属コネクタ部を通じて供給される第２の音声信号とを選択的に取り出す音声信号切換部と、映像信号切換部により取り出される映像信号もしくは記録再生機能部から送出される再生映像信号に基づく画像を表示する画像表示部と、音声信号切換部により取り出される音声信号もしくは記録再生機能部から送出される再生音声信号に基づく音声を発する音声出力部と、付属コネクタ部が上記クレードルに設けられた外部コネクタ部に連結されないとき、アンテナ出力切換部に、第１のテレビジョン放送信号を取り出す状態をとらせ、付属コネクタ部がクレードルに設けられた外部コネクタ部に連結されたとき、アンテナ出力切換部に、第２のテレビジョン放送信号を取り出す状態をとらせるとともに、記録再生機能部に、映像信号切換部及び音声信号切換部により夫々取り出される映像信号及び音声信号の記録を行う状態を選択的にとらせる制御を自動的に行う動作制御部と、を備えて構成される。
【００１４】
特に、請求項２に記載された発明に係る携帯型電子機器にあっては、動作制御部が、付属コネクタ部がクレードルに設けられた外部コネクタ部に連結されないとき及び連結されたときのいずれにおいても、記録再生機能部に、映像信号及び音声信号の再生を行って再生映像信号及び再生音声信号を送出する状態をとらせる制御を行えるものとされる。
【００１５】
また、特に、請求項３に記載された発明に係る携帯型電子機器にあっては、動作制御部が、付属コネクタ部がクレードルに設けられた外部コネクタ部に連結されないとき及び連結されたときのいずれにおいても、テレビジョン機能部及び記録再生機能部に、予め設定した時刻が到来したとき映像信号切換部及び音声信号切換部により夫々取り出される第１の映像信号及び第１の音声信号の記録を行う状態を開始させ、その後の予め設定した時刻が到来したとき映像信号切換部及び音声信号切換部により夫々取り出される第１の映像信号及び第１の音声信号の記録を行う状態を終了させるための設定を行えるものとされる。
【００１６】
このように構成される本願の特許請求の範囲における請求項１から請求項６までのいずれかに記載された発明に係る携帯型電子機器にあっては、全体がクレードルから外されて付属コネクタ部がクレードルに設けられた外部コネクタ部に連結されないとき、付属アンテナからの、ＶＨＦあるいはＵＨＦテレビジョン放送信号等の第１のテレビジョン放送信号が、アンテナ出力切換部に供給され、一方、全体がクレードルに着脱自在に装着されて、付属コネクタ部がクレードルに設けられた外部コネクタ部に連結されると、付属アンテナからの、ＶＨＦあるいはＵＨＦテレビジョン放送信号等の第１のテレビジョン放送信号に加え、例えば、ＶＨＦ及びＵＨＦテレビジョン放送信号等のテレビジョン放送信号に対するアンテナ性能に優れた外部アンテナからの第２のテレビジョン放送信号が、クレードルを通じ、さらに、付属コネクタ部を通じて、アンテナ出力切換部に供給される。そして、斯かるもとで、動作制御部が、付属コネクタ部がクレードルに設けられた外部コネクタ部に連結されないとき、アンテナ出力切換部に、第１のテレビジョン放送信号を取り出す状態をとらせ、付属コネクタ部がクレードルに設けられた外部コネクタ部に連結されたとき、アンテナ出力切換部に、第２のテレビジョン放送信号を取り出す状態をとらせるとともに、記録再生機能部に、映像信号切換部及び音声信号切換部により夫々取り出される映像信号及び音声信号についての、例えば、メモリースティックとされる記録媒体への記録を行う状態を選択的にとらせる制御を自動的に行う。
【００１７】
それにより、全体がクレードルから取り外されて、付属コネクタ部がクレードルに設けられた外部コネクタ部に連結されないときには、付属アンテナからの第１のテレビジョン放送信号が、テレビジョン機能部に供給され、テレビジョン機能部から、第１のテレビジョン放送信号に基づく第１の映像信号及び第１の音声信号が得られる。これらの第１の映像信号及び第１の音声信号は、例えば、映像信号切換部及び音声信号切換部を通じて、夫々、画像表示部及び音声出力部に供給される。
【００１８】
一方、全体がクレードルに装着されて、付属コネクタ部がクレードルに設けられた外部コネクタ部に連結されるときには、付属アンテナからの第１のテレビジョン放送信号でなく、付属コネクタ部を通じて供給される第２のテレビジョン放送信号が、テレビジョン機能部に供給され、テレビジョン機能部から、第２のテレビジョン放送信号に基づく第１の映像信号及び第１の音声信号が得られる。斯かる際には、第２のテレビジョン放送信号に基づく第１の映像信号もしくは付属コネクタ部を通じて供給される第２の映像信号が、映像信号切換部により取り出されて画像表示部に供給されるとともに、第２のテレビジョン放送信号に基づく第１の音声信号もしくは付属コネクタ部を通じて供給される第２の音声信号が、音声信号切換部により取り出されて音声出力部に供給される。
【００１９】
そして、さらに、付属コネクタ部がクレードルに設けられた外部コネクタ部に連結されるときには、映像信号切換部により取り出される、第２のテレビジョン放送信号に基づく第１の映像信号もしくは付属コネクタ部を通じて供給される第２の映像信号と、音声信号切換部により取り出される、第２のテレビジョン放送信号に基づく第１の音声信号もしくは付属コネクタ部を通じて供給される第２の音声信号が、記録再生機能部によるメモリースティック等とされる記録媒体への記録に供される状態が、例えば、機器の使用者の意図に応じて、選択的にとられる。
【００２０】
また、請求項２に記載された発明に係る携帯型電子機器にあっては、全体がクレードルから取り外されて、付属コネクタ部がクレードルに設けられた外部コネクタ部に連結されないとき、及び、全体がクレードルに装着されて、付属コネクタ部がクレードルに設けられた外部コネクタ部に連結されたときのいずれにおいても、動作制御部による、記録再生機能部に、映像信号及び音声信号の再生を行って再生映像信号及び再生音声信号を送出する状態をとらせる制御が、例えば、機器の使用者の意図に応じて行われる。
【００２１】
さらに、請求項３に記載された発明に係る携帯型電子機器にあっては、全体がクレードルから取り外されて、付属コネクタ部がクレードルに設けられた外部コネクタ部に連結されないとき、及び、全体がクレードルに装着されて、付属コネクタ部がクレードルに設けられた外部コネクタ部に連結されたときのいずれにおいても、動作制御部による、テレビジョン機能部及び記録再生機能部に、予め設定した時刻が到来したとき、映像信号切換部及び音声信号切換部により夫々取り出される第１の映像信号及び第１の音声信号の記録を行う状態を開始させ、その後の予め設定した時刻が到来したとき、映像信号切換部及び音声信号切換部により夫々取り出される第１の映像信号及び第１の音声信号の記録を行う状態を終了させるための設定が、例えば、機器の使用者の意図に応じて行われる。
【発明の効果】
【００２２】
上述のようなもとで、本願の特許請求の範囲における請求項１から請求項６までのいずれかに記載された発明に係る携帯型電子機器の全体がクレードルに着脱自在に装着されて、付属コネクタ部がクレードルに設けられた外部コネクタ部に連結されるとき、クレードルを通じ、さらに、付属コネクタ部を通じて、アンテナ出力切換部に供給され、アンテナ出力切換部によって選択されて、テレビジョン機能部に供給される第２のテレビジョン放送信号は、例えば、ＶＨＦ及びＵＨＦテレビジョン放送信号等のテレビジョン放送信号に対するアンテナ性能に優れた外部アンテナからのものであって、良好な受信状態のもとで得られるものとされる。それゆえ、付属コネクタ部がクレードルに設けられた外部コネクタ部に連結されるときには、テレビジョン機能部から、質の高い第１の映像信号及び第１の音声信号が得られる。
【００２３】
従って、付属コネクタ部がクレードルに設けられた外部コネクタ部に連結されたもとにあっては、テレビジョン機能部からの質の高い第１の映像信号もしくは付属コネクタ部を通じて供給される第２の映像信号が、映像信号切換部により取り出されて画像表示部に供給されるとともに、テレビジョン機能部からの質の高い第１の音声信号もしくは付属コネクタ部を通じて供給される第２の音声信号が、音声信号切換部により取り出されて音声出力部に供給される状態がとられ、また、映像信号切換部により取り出される、テレビジョン機能部からの質の高い第１の映像信号もしくは付属コネクタ部を通じて供給される第２の映像信号と、音声信号切換部により取り出される、テレビジョン機能部からの質の高い第１の音声信号もしくは付属コネクタ部を通じて供給される第２の音声信号とが、記録再生機能部による記録媒体への記録に供される状態が、例えば、機器の使用者の意図に応じて、選択的にとられる。その結果、画像表示部及び音声出力部において質的に優れた画像及び音声の表示及び再生がなされ、また、記録再生機能部により質の高い映像信号及び音声信号が記録媒体に記録される状態が得られることになる。
【００２４】
そして、付属コネクタ部がクレードルに設けられた外部コネクタ部に連結される状態は、機器の全体をクレードルに着脱自在に装着するだけの、例えば、その都度、機器に外部アンテナを接続するとともに備えられた付属アンテナを切り離すというような、煩わしい作業が要されることのない、極めて簡単で容易な作業をもって得られる。
【００２５】
これよりして、本願の特許請求の範囲における請求項１から請求項６までのいずれかに記載された発明に係る携帯型電子機器によれば、クレードルからの取外しがなされて携帯の用に供される場合及びクレードルへの装着がなされた場合のいずれにおいても、テレビジョン放送信号に応じた映像信号及び音声信号を得て、それらに基づく画像表示及び音声再生を行うことができ、特に、クレードルへの装着がなされたもとにおいては、煩わしい作業が要されることのない、極めて簡単で容易な作業をもって、テレビジョン放送信号に応じた質の高い映像信号及び音声信号を得て、質的に優れた画像及び音声の表示及び再生がなされる状態、及び、質の高い映像信号及び音声信号が記録媒体に記録される状態を得ることができる。
【００２６】
また、特に、請求項２に記載された発明に係る携帯型電子機器によれば、付属コネクタ部がクレードルに設けられた外部コネクタ部に連結されているかいないかにかかわらず、記録再生機能部が映像信号及び音声信号の再生を行って再生映像信号及び再生音声信号を送出する状態を得ることができる。
【００２７】
さらに、特に、請求項３に記載された発明に係る携帯型電子機器によれば、付属コネクタ部がクレードルに設けられた外部コネクタ部に連結されているかいないかにかかわらず、テレビジョン機能部及び記録再生機能部に、予め設定した時刻が到来したとき映像信号切換部及び音声信号切換部により夫々取り出される第１の映像信号及び第１の音声信号の記録を行う状態を開始させ、その後の予め設定した時刻が到来したとき当該記録を行う状態を終了させるための設定である、予約記録設定を行うことができる。
【発明を実施するための最良の形態】
【００２８】
本願の特許請求の範囲における請求項１から請求項６までのいずれかに記載された発明を実施するための最良の形態は、以下に述べられる実施例をもって説明される。
【実施例】
【００２９】
図１及び図２は、本願の特許請求の範囲における請求項１から請求項６までのいずれかに記載された発明に係る携帯型電子機器の一例の外観を示す。この図１及び図２に示される例は、匣体１０を備えて構成される本体部１１と本体部１１に接続された音声出力部を形成するヘッドフォーン部１２とを有している。
【００３０】
匣体１０は、第１の匣体部分１４と第２の匣体部分１５とが、ヒンジ部１６により、折畳み及び展開可能に連結されて構成されている。第１の匣体部分１４と第２の匣体部分１５とが、各々の大部分が相互に離隔するものとされて展開された状態が、図１に示されており、また、第１の匣体部分１４と第２の匣体部分１５とが、折り畳まれて各々の大部分が重ね合わされた状態が、図２に示されている。図２に示されるように第１の匣体部分１４と第２の匣体部分１５とが折り畳まれたときには、携帯し易い状態とされることになる。
【００３１】
第１の匣体部分１４には、画像表示部１７が設けられている。この画像表示部１７は、例えば、矩形画面を形成する小型で薄型の液晶表示パネルが用いられて構成されたものとされ、それに供給される映像信号に応じた動画像及び静止画像を表示する。
【００３２】
第２の匣体部分１５には、各種の操作用釦１８が配されて成る制御操作部１９が設けられている。この制御操作部１９の各種の操作用釦１８は、本体部１１の機能あるいは動作を制御するため機器の使用者により手動操作されるべく配されている。第２の匣体部分１５には、本体部１１が特定の動作状態にあることをあらわす、例えば、発光ダイオードが用いられたインジケータ部２０も設けられている。また、第２の匣体部分１５には、小型で薄型の半導体記録媒体であるメモリースティック２１の差込み及び抜出しが行われるメモリースティック用スロット２２も設けられている。
【００３３】
さらに、第２の匣体部分１５には、ヒンジ部１６とは反対側の端部に、本体部１１の全体が着脱自在に装着されることになるクレードル５０（図３に示され、後述される。）との連結に用いられる付属コネクタ部２６も備えられている。
【００３４】
音声出力部を形成するヘッドフォーン部１２は、機器の使用者の左右の耳に夫々直接的に装着される左スピーカ部２３及び右スピーカ部２４が、リード線２５によって連結された形式のものとされている。リード線２５は、左スピーカ部２３及び右スピーカ部２４の夫々に音声信号を供給するとともに、テレビジョン放送信号受信用の付属アンテナの役割も果たすものとされる。
【００３５】
なお、このようなヘッドフォーン部１２に代えて、本体部１１のいずれかの部分に組み込まれた１個もしくは複数個のスピーカを用いた音声出力部が形成されてもよい。斯かる際には、本体部１１に設けられた音声出力部が備えられることになり、また、独立した付属アンテナが備えられる。
【００３６】
図３は、上述のように匣体１０を備えて構成される本体部１１が、図１及び図２に示される例に専用のものとされたクレードル５０に、着脱自在に装着された状態を示す。クレードル５０は、具体的には、匣体１０を構成する第２の匣体部分１５が係合するものとされており、第２の匣体部分１５がクレードル５０に係合するとき、第２の匣体部分１５に備えられた付属コネクタ部２６が連結される外部コネクタ部５１を備えている。
【００３７】
匣体１０を構成する第２の匣体部分１５のクレードル５０との係合を伴う、匣体１０を備えた本体部１１のクレードル５０への装着は、第２の匣体部分１５がクレードル５０に対して押圧され、第２の匣体部分１５に備えられた付属コネクタ部２６がクレードル５０に備えられた外部コネクタ部５１に嵌め込まれることによって行われる。また、第２の匣体部分１５のクレードル５０との係合状態からの解除は、クレードル５０に設けられた係合解除釦５２が押し込まれることによって行われる。
【００３８】
クレードル５０には、図示されない外部アンテナからのテレビジョン放送信号，外部信号源からの映像信号及び音声信号，外部電源からの電圧等が、必要に応じて供給される。クレードル５０にテレビジョン放送信号を供給する外部アンテナは、例えば、ＶＨＦ及びＵＨＦテレビジョン放送信号等のテレビジョン放送信号に対するアンテナ性能に優れたものとされる。
【００３９】
図４は、上述のような図１に示される外観を有した、本願の特許請求の範囲における請求項１から請求項６までのいずれかに記載された発明に係る携帯型電子機器の一例の構成例を、図３に示されるようにクレードル５０に装着された状態がとられたものとして示す。勿論、斯かる本願の特許請求の範囲における請求項１から請求項６までのいずれかに記載された発明に係る携帯型電子機器の一例の構成例は、常時クレードル５０に装着されるというものではなく、クレードル５０に装着された状態とクレードル５０から取り外された状態とが選択的にとられるものである。
【００４０】
図４にあっては、図１及び図２に示される本体部１１を有した本願の特許請求の範囲における請求項１から請求項６までのいずれかに記載された発明に係る携帯型電子機器の一例が、記録再生機能付情報出力装置６０を形成するものとされており、この記録再生機能付情報出力装置６０はその全体がクレードル５０に装着されている。
【００４１】
図４に示される記録再生機能付情報出力装置６０においては、音声出力部を形成するヘッドフォーン部１２、及び、ヘッドフォーン部１２におけるリード線２５によって形成されるテレビジョン放送信号受信用の付属アンテナ３０（２５）は、本体部１１に接続されたものである。また、画像表示部１７，制御操作部１９，インジケータ部２０，メモリースティック用スロット２２及び付属コネクタ部２６は、本体部１１に設けられて、本体部１１の外部に臨むものである。そして、図４における上述のヘッドフォーン部１２，付属アンテナ３０（２５），画像表示部１７，制御操作部１９，インジケータ部２０，メモリースティック用スロット２２及び付属コネクタ部２６以外の種々の機能ブロックによりあらわされるものは、本体部１１に内蔵されている。
【００４２】
また、クレードル５０においては、外部コネクタ部５１が、それに対して記録再生機能付情報出力装置６０における付属コネクタ部２６が連結されたものとされている。そして、クレードル５０には、装着検出部５５と電源部５６とが内蔵されている。装着検出部５５は、本体部１１がクレードル５０に装着されて、記録再生機能付情報出力装置６０における付属コネクタ部２６がクレードル５０における外部コネクタ５１に連結されるとき、その連結を検出して検出出力信号ＳＤを発生する。
【００４３】
クレードル５０には、例えば、ＶＨＦ及びＵＨＦテレビジョン放送信号等のテレビジョン放送信号に対するアンテナ性能に優れたものとされる外部アンテナからのテレビジョン放送信号ＡＴ，外部信号源からの映像信号ＡＶ及び音声信号ＡＡ、及び、外部電源からの電圧ＶＯが、必要に応じて供給される。外部アンテナからのテレビジョン放送信号ＡＴは、例えば、ＶＨＦあるいはＵＨＦテレビジョン放送信号，ＢＳ（Broadcasting Satellite) テレビジョン放送信号, ＣＡＴＶ（Cable Television) 信号等とされる。
【００４４】
そして、テレビジョン放送信号ＡＴ，映像信号ＡＶ及び音声信号ＡＡの夫々は、そのまま外部コネクタ部５１を通じてそれに連結された記録再生機能付情報出力装置６０における付属コネクタ部２６へと伝達される。装着検出部５５が発生する検出出力信号ＳＤも、外部コネクタ部５１を通じてそれに連結された記録再生機能付情報出力装置６０における付属コネクタ部２６へと伝達される。
【００４５】
また、外部電源からの電圧ＶＯは、クレードル５０に内蔵された電源部５６に供給される。電源部５６は、電圧ＶＯに基づく電源電圧ＶＶを形成して、それを外部コネクタ部５１を通じてそれに連結された記録再生機能付情報出力装置６０における付属コネクタ部２６へと伝達する。
【００４６】
図４に示される記録再生機能付情報出力装置６０にあっては、例えば、ＶＨＦ及びＵＨＦテレビジョン放送信号を含むものとされる、付属アンテナ３０（２５）からのテレビジョン放送信号ＳＴと、クレードル５０から付属コネクタ部２６を通じて供給される、例えば、ＶＨＦ及びＵＨＦテレビジョン放送信号さらにはＣＡＴＶ信号を含むものとされる、外部アンテナからのテレビジョン放送信号ＡＴとが、アンテナ出力切換部２７に供給される。アンテナ出力切換部２７は、テレビジョン放送信号ＳＴとテレビジョン放送信号ＡＴとを選択的に取り出して、テレビジョン放送信号ＳＴまたはテレビジョン放送信号ＡＴをテレビジョン機能部３１に供給する。
【００４７】
テレビジョン機能部３１にあっては、テレビジョン放送信号ＳＴまたはテレビジョン放送信号ＡＴがチューナ部３８に供給される。チューナ部３８は、テレビジョン放送信号ＳＴまたはテレビジョン放送信号ＡＴについての選局動作を行って、テレビジョン放送信号ＳＴのうちの選局されたもの、または、テレビジョン放送信号ＡＴのうちの選局されたものについての中間周波信号ＳＩを形成して、それを映像・音声信号再生部３９に供給する。映像・音声信号再生部３９は、中間周波信号ＳＩに基づいた映像信号ＳＶ及び音声信号ＳＡ、即ち、チューナ部３８により選局されたテレビジョン放送信号ＳＴまたはテレビジョン放送信号ＡＴに基づく映像信号ＳＶ及び音声信号ＳＡを得て、それらをテレビジョン機能部３１から送出し、映像信号ＳＶを映像信号切換部２８に供給するとともに、音声信号ＳＡを音声信号切換部２９に供給する。
【００４８】
映像信号切換部２８には、クレードル５０から付属コネクタ部２６を通じて供給される外部信号源からの映像信号ＡＶも入力される。そして、映像信号切換部２８は、映像信号ＳＶと映像信号ＡＶとを選択的に取り出し、取り出した映像信号ＳＶまたは映像信号ＡＶを、映像信号用の選択部３２と、記録再生機能部３４とに供給する。
【００４９】
また、音声信号切換部２９には、クレードル５０から付属コネクタ部２６を通じて供給される外部信号源からの音声信号ＡＡも入力される。そして、音声信号切換部２９は、音声信号ＳＡと音声信号ＡＡとを選択的に取り出し、取り出した音声信号ＳＡまたは音声信号ＡＡを、音声信号用の選択部３３と、記録再生機能部３４とに供給する。
【００５０】
記録再生機能部３４にはメモリースティック書込み・読出し制御部３５が接続されている。このメモリースティック書込み・読出し制御部３５は、メモリスティック２１が、メモリースティック用スロット２２を通じて着脱されるものとされる。そして、メモリースティック書込み・読出し制御部３５は、装着されたメモリスティック２１に対する映像信号及び音声信号の書込み、及び、装着されたメモリスティック２１からのそれに書き込まれた映像信号及び音声信号の読出しを行う機能、さらには、装着されたメモリスティック２１からのそれに書き込まれた音声信号の読出しを行う機能を果たす。
【００５１】
記録再生機能部３４は、メモリースティック書込み・読出し制御部３５に装着されたメモリースティック２１を用いて、映像信号及び音声信号の記録及び再生を行い、再生された映像信号に基づく動画像あるいは静止画像が画像表示部１７により表示され、また、再生された音声信号に基づく音声がヘッドフォーン部１２から発せられる状態を得るようにする機能を果たす。
【００５２】
そして、記録再生機能部３４は、映像信号切換部２８からの映像信号ＳＶまたは映像信号ＡＶを記録用映像信号ＱＶとしてメモリースティック書込み・読出し制御部３５に供給するとともに、音声信号切換部２９からの音声信号ＳＡまたは音声信号ＡＡを記録用音声信号ＱＡとしてメモリースティック書込み・読出し制御部３５に供給し、メモリースティック書込み・読出し制御部３５において、記録用映像信号ＱＶ及び記録用音声信号ＱＡが、メモリースティック書込み・読出し制御部３５に装着されたメモリースティック２１に書き込まれるようにする。それにより、記録再生機能部３４は、メモリースティック書込み・読出し制御部３５に装着されたメモリースティック２１を用いての、映像信号及び音声信号の記録を行う。
【００５３】
また、記録再生機能部３４は、メモリースティック書込み・読出し制御部３５においてメモリースティック２１から読み出された映像信号及び音声信号を、読出映像信号ＰＶ及び読出音声信号ＰＡとして取り込み、それらに基づく再生映像信号ＳＰＶ及び再生音声信号ＳＰＡを送出して、再生映像信号ＳＰＶを映像信号用の選択部３２に供給するとともに、再生音声信号ＳＰＡを音声信号用の選択部３３に供給する。それにより、記録再生機能部３４は、メモリースティック書込み・読出し制御部３５に装着されたメモリースティック２１を用いての、映像信号及び音声信号の再生を行う。
【００５４】
メモリースティック書込み・読出し制御部３５には、音声再生機能部３７も接続されている。この音声再生機能部３７は、メモリースティック書込み・読出し制御部３５に装着されたメモリースティック２１を用いて、音声信号の再生を行い、再生された音声信号に基づく音声がヘッドフォーン部１２から発せられる状態を得るようにする機能を果たす。そして、音声再生機能部３７は、メモリースティック書込み・読出し制御部３５において、音声信号の書込みがなされたメモリースティック２１から読み出された音声信号を、読出音声信号ＰＵとして取り込み、それに基づく再生音声信号ＳＵを送出して、それを音声信号用の選択部３３に供給する。
【００５５】
選択部３２は、映像信号切換部２８からの映像信号ＳＶまたは映像信号ＡＶと記録再生機能部３４からの再生映像信号ＳＰＶとのうちのいずれかを選択して取り出して、それを画像表示部１７に供給する。画像表示部１７は、映像信号ＳＶまたは映像信号ＡＶもしくは再生映像信号ＳＰＶに基づく動画像あるいは静止画像を表示する。
【００５６】
選択部３３は、音声信号切換部２９からの音声音声ＳＡまたは音声信号ＡＡと記録再生機能部３４からの再生音声信号ＳＰＡと音声再生機能部３７からの再生音声信号ＳＵとのうちのいずれかを選択して取り出して、それをヘッドフォーン部１２に供給する。ヘッドフォーン部１２は、音声音声ＳＡ、音声信号ＡＡ，再生音声信号ＳＰＡもしくは再生音声信号ＳＵに基づく音声を発する。
【００５７】
その結果、画像表示部１７がテレビジョン機能部３１からの映像信号ＳＶまたは付属コネクタ部２６を通じて供給される映像信号ＡＶに基づく動画像あるいは静止画像を表示するとともに、ヘッドフォーン部１２がテレビジョン機能部３１からの音声信号ＳＡまたは付属コネクタ部２６を通じて供給される音声信号ＡＡに基づく音声を発する状態，画像表示部１７が記録再生機能部３４からの再生映像信号ＳＰＶに基づく動画像あるいは静止画像を表示するとともに、ヘッドフォーン部１２が記録再生機能部３４からの再生音声信号ＳＰＡに基づく音声を発する状態、あるいは、ヘッドフォーン部１２が音声再生機能部３７からの再生音声信号ＳＵに基づく音声を発する状態が得られる。
【００５８】
記録再生機能付情報出力装置６０においては、上述の各種機能ブロックによってあらわされる各部についての制御を行う動作制御部４０が備えられている。動作制御部４０には、制御操作部１９からそこに配された各種の操作用釦１８の操作に応じて送出される操作出力信号ＳＸが供給されるとともに、クレードル５０における装着検出部５５から付属コネクタ部２６に伝達される検出出力信号ＳＤが、付属コネクタ部２６を通じて供給される。
【００５９】
動作制御部４０は、制御操作部１９からの操作出力信号ＳＸ及び付属コネクタ部２６を通じて供給される検出出力信号ＳＤ等に応じて、各種の制御信号を発生する。これらの制御信号は、アンテナ出力切換部２７，映像信号切換部２８及び音声信号切換部２９の各々の動作制御を夫々行う制御信号ＣＡＴ，ＣＶＳ及びＣＡＳと、テレビジョン機能部３１におけるチューナ部３８，記録再生機能部３４及び音声再生機能部３７の各々の機能制御を夫々行う制御信号ＣＴ，ＣＲ及びＣＵと、ヘッドフォーン部１２，画像表示部１７，選択部３２，選択部３３及びメモリースティック書込み・読出し制御部３５の各々の動作制御を夫々行う制御信号ＣＯ，ＣＤ，ＣＶ，ＣＡ及びＣＭと、電源電圧供給部４２及びインジケータ部２０の夫々の動作制御を行う制御信号ＣＰ及びＣ１とを含むものとされる。
【００６０】
電源電圧供給部４２は、バッテリを内蔵するものとされ、それに加えて、外部電源からの電圧ＶＯが供給され、さらに、クレードル５０における電源部５６から付属コネクタ部２６に伝達される電源電圧ＶＶが、付属コネクタ部２６を通じて供給される。そして、電源電圧供給部４２は、制御信号ＣＰに従って、内蔵するバッテリからの電圧もしくは外部電源からの電圧ＶＯに基づく電源電圧、あるいは、クレードル５０における電源部５６から付属コネクタ部２６に伝達される電源電圧ＶＶを記録再生機能付情報出力装置６０の各部に供給する。
【００６１】
インジケータ部２０は、制御信号ＣＩに応じて、記録再生機能付情報出力装置６０においてとられる各種の動作状態に対応した表示動作を行う。
【００６２】
また、記録再生動作部３４は、制御信号ＣＲによる制御のもとに、例えば、映像信号及び音声信号の再生を行うにあたっての早送り再生機能，スロー再生機能，ポーズ機能等の種々の機能を果たす。
【００６３】
このようなもとで、記録再生機能付情報出力装置６０が、図４に示される状態とは異なり、その全体がクレードル５０から取り外されて、付属コネクタ部２６がクレードル５０に設けられた外部コネクタ部５１に連結されていない状態とされ、例えば、携帯の用に供されるもとで作動せしめられる場合には、動作制御部４０が、制御信号ＣＰによって、電源電圧供給部４２に、外部電源からの電圧ＶＯが供給されていないときには、内蔵するバッテリからの電圧に基づく電源電圧を、また、外部電源からの電圧ＶＯが供給されているときには、その電圧ＶＯに基づく電源電圧を、記録再生機能付情報出力装置６０の各部に供給する状態をとらせる。
【００６４】
そして、動作制御部４０は、制御信号ＣＡＴによって、アンテナ出力切換部２７に、付属アンテナ３０（２５）からのテレビジョン放送信号ＳＴを取り出す状態をとらせる。また、それとともに、制御信号ＣＶＳ及びＣＡＳによって、映像信号切換部２８にテレビジョン機能部３１における映像・音声信号再生部３９からの映像信号ＳＶを取り出す状態を、かつ、音声信号切換部２９にテレビジョン機能部３１における映像・音声信号再生部３９からの音声信号ＳＡを取り出す状態を、夫々とらせる。
【００６５】
また、動作制御部４０は、制御信号ＣＴによって、テレビジョン機能部３１におけるチューナ部３８に、選局動作を行わせる。斯かる際にチューナ部３８に行わせる選局動作は、例えば、テレビジョン放送信号ＳＴに含まれるＶＨＦ及びＵＨＦテレビジョン放送信号についての自動順次選局動作とされる。そして、斯かる自動順次選局動作によって、所望のＶＨＦもしくはＵＨＦテレビジョン放送信号の受信状態が得られると、動作制御部４０は、制御信号ＣＴによって、チューナ部３８に、自動順次選局動作を停止して、当該ＶＨＦもしくはＵＨＦテレビジョン放送信号の受信状態を継続する動作状態をとらせる。斯かる際、チューナ部３８から動作制御部４０に、チューナ部３８の動作状況をあらわす情報が、図示が省略された情報伝送手段を通じて伝達され、動作制御部４０における制御信号ＣＴの形成及び送出に供される。
【００６６】
さらに、動作制御部４０は、記録再生機能部３４に、メモリースティック書込み・読出し制御部３５に装着されたメモリースティック２１を用いての、映像信号及び音声信号の再生を行わせるべき状態（斯かる状態は、例えば、装置の使用者により制御操作部１９が操作されて動作制御部４０に供給される操作出力信号ＳＸに応じてとられる。）になく、かつ、音声再生機能部３７に、メモリースティック書込み・読出し制御部３５に装着されたメモリースティック２１を用いての、音声信号の再生を行わせるべき状態（斯かる状態も、例えば、装置の使用者により制御操作部１９が操作されて動作制御部４０に供給される操作出力信号ＳＸに応じてとられる。）にないとき、制御信号ＣＶによって、選択部３２に、映像信号切換部２８から得られる映像信号ＳＶを取り出す状態を，制御信号ＣＡによって、選択部３３に、音声信号切換部２９から得られる音声信号ＳＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせる。
【００６７】
それにより、画像表示部１７において、チューナ部３８における選局がなされた付属アンテナ３０（２５）からのテレビジョン放送信号ＳＴに基づく画像の表示が行われるとともに、ヘッドフォーン部１２から、チューナ部３８における選局がなされた付属アンテナ３０（２５）からのテレビジョン放送信号ＳＴに基づく音声の再生が行われる。
【００６８】
一方、記録再生機能部３４に、メモリースティック書込み・読出し制御部３５に装着されたメモリースティック２１を用いての映像信号及び音声信号の再生を行わせるべき状態にあるときには、制御信号ＣＲ及び制御信号ＣＭによって、記録再生機能部３４に、メモリースティック書込み・読出し制御部３５に装着されたメモリースティック２１を用いての、映像信号及び音声信号の再生を行う状態をとらせるとともに、制御信号ＣＶによって、選択部３２に、記録再生機能部３４から得られる再生映像信号ＳＰＶを取り出す状態を，制御信号ＣＡによって、選択部３３に、記録再生機能部３４から得られる再生音声信号ＳＰＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせる。
【００６９】
それにより、画像表示部１７において、記録再生機能部３４からの再生映像信号ＳＰＶに基づく画像の表示が行われるとともに、ヘッドフォーン部１２から、記録再生機能部３４からの再生音声信号ＳＰＡに基づく音声の再生が行われる。
【００７０】
また、音声再生機能部３７に、メモリースティック書込み・読出し制御部３５に装着されたメモリースティック２１を用いての、音声信号の再生を行わせるべき状態にあるとき、制御信号ＣＵ及び制御信号ＣＭによって、音声再生機能部３７に、メモリースティック書込み・読出し制御部３５に装着されたメモリースティック２１を用いての、音声信号の再生を行う状態をとらせるとともに、制御信号ＣＡによって、選択部３３に、音声再生機能部３７から得られる再生音声信号ＳＵを取り出す状態を，制御信号ＣＤによって、画像表示部１７に表示動作を行わない状態を、及び、制御信号ＣＯによって、ヘッドフォーン部１２に適正な音声再生を行う状態を、夫々とらせる。
【００７１】
それにより、ヘッドフォーン部１２から、音声再生機能部３７からの再生音声信号ＳＵに基づく音声の再生が行われる。
【００７２】
これに対して、記録再生機能付情報出力装置６０が、図４に示されるように、その全体がクレードル５０に装着されて、付属コネクタ部２６がクレードル５０に設けられた外部コネクタ部５１に連結された状態とされ、例えば、実質的に据置型のものとして作動せしめられるときには、動作制御部４０が、制御信号ＣＰによって、電源電圧供給部４２に、クレードル５０における電源部５６から付属コネクタ部２６を通じて供給される電源電圧ＶＶを、記録再生機能付情報出力装置６０の各部に供給する状態をとらせる。
【００７３】
そして、動作制御部４０は、制御信号ＣＡＴによって、アンテナ出力切換部２７に、クレードル５０から付属コネクタ部２６を通じて供給される外部アンテナからのテレビジョン放送信号ＡＴを取り出す状態をとらせる。続いて、動作制御部４０は、以下のような第１の動作態様もしくは第２の動作態様をとる。
【００７４】
動作制御部４０が第１の動作態様をとる場合には、動作制御部４０は、制御信号ＣＶＳ及びＣＡＳによって、映像信号切換部２８にテレビジョン機能部３１における映像・音声信号再生部３９からの映像信号ＳＶを取り出す状態を、かつ、音声信号切換部２９にテレビジョン機能部３１における映像・音声信号再生部３９からの音声信号ＳＡを取り出す状態を、夫々とらせる。
【００７５】
また、動作制御部４０は、制御信号ＣＴによって、テレビジョン機能部３１におけるチューナ部３８に、選局動作を行わせる。斯かる際にチューナ部３８に行わせる選局動作は、例えば、テレビジョン放送信号ＡＴに含まれるＶＨＦ及びＵＨＦテレビジョン放送信号とＣＡＴＶ信号とについての自動順次選局動作とされる。そして、斯かる自動順次選局動作によって、所望のＶＨＦもしくはＵＨＦテレビジョン放送信号もしくはＣＡＴＶ信号の受信状態が得られると、動作制御部４０は、制御信号ＣＴによって、チューナ部３８に、自動順次選局動作を停止して、当該ＶＨＦもしくはＵＨＦテレビジョン放送信号もしくはＣＡＴＶ信号の受信状態を継続する動作状態をとらせる。斯かる際にも、チューナ部３８から動作制御部４０に、チューナ部３８の動作状況をあらわす情報が、図示が省略された情報伝送手段を通じて伝達され、動作制御部４０における制御信号ＣＴの形成及び送出に供される。
【００７６】
さらに、動作制御部４０は、記録再生機能部３４に、メモリースティック書込み・読出し制御部３５に装着されたメモリースティック２１を用いての、映像信号及び音声信号の再生を行わせるべき状態になく、かつ、音声再生機能部３７に、メモリースティック書込み・読出し制御部３５に装着されたメモリースティック２１を用いての、音声信号の再生を行わせるべき状態にないとき、制御信号ＣＶによって、選択部３２に、映像信号切換部２８から得られる映像信号ＳＶを取り出す状態を，制御信号ＣＡによって、選択部３３に、音声信号切換部２９から得られる音声信号ＳＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせる。
【００７７】
それにより、画像表示部１７において、チューナ部３８における選局がなされた外部アンテナからのテレビジョン放送信号ＡＴに基づく画像の表示が行われるとともに、ヘッドフォーン部１２から、チューナ部３８における選局がなされた外部アンテナからのテレビジョン放送信号ＡＴに基づく音声の再生が行われる。斯かる際には、テレビジョン放送信号ＡＴが、ＶＨＦ及びＵＨＦテレビジョン放送信号等のテレビジョン放送信号に対するアンテナ性能に優れたものとされる外部アンテナからのものであって、良好な受信状態のもとで得られるものとされるので、画像表示部１７及びヘッドフォーン部１２において、質的に優れた画像表示及び音声の再生が行われることになる。
【００７８】
一方、記録再生機能部３４に、メモリースティック書込み・読出し制御部３５に装着されたメモリースティック２１を用いての映像信号及び音声信号の再生を行わせるべき状態にあるときには、動作制御部４０は、制御信号ＣＲ及び制御信号ＣＭによって、記録再生機能部３４に、メモリースティック書込み・読出し制御部３５に装着されたメモリースティック２１を用いての、映像信号及び音声信号の再生を行う状態をとらせるとともに、制御信号ＣＶによって、選択部３２に、記録再生機能部３４から得られる再生映像信号ＳＰＶを取り出す状態を，制御信号ＣＡによって、選択部３３に、記録再生機能部３４から得られる再生音声信号ＳＰＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせる。
【００７９】
それにより、画像表示部１７において、記録再生機能部３４からの再生映像信号ＳＰＶに基づく画像の表示が行われるとともに、ヘッドフォーン部１２から、記録再生機能部３４からの再生音声信号ＳＰＡに基づく音声の再生が行われる。
【００８０】
また、音声再生機能部３７に、メモリースティック書込み・読出し制御部３５に装着されたメモリースティック２１を用いての、音声信号の再生を行わせるべき状態にあるとき、動作制御部４０は、制御信号ＣＵ及び制御信号ＣＭによって、音声再生機能部３７に、メモリースティック書込み・読出し制御部３５に装着されたメモリースティック２１を用いての、音声信号の再生を行う状態をとらせるとともに、制御信号ＣＡによって、選択部３３に、音声再生機能部３７から得られる再生音声信号ＳＵを取り出す状態を，制御信号ＣＤによって、画像表示部１７に表示動作を行わない状態を、及び、制御信号ＣＯによって、ヘッドフォーン部１２に適正な音声再生を行う状態を、夫々とらせる。
【００８１】
それにより、ヘッドフォーン部１２から、音声再生機能部３７からの再生音声信号ＳＵに基づく音声の再生が行われる。
【００８２】
さらに、記録再生機能部３４に、メモリースティック書込み・読出し制御部３５に装着されたメモリースティック２１を用いての映像信号及び音声信号の記録を行わせるべき状態（斯かる状態は、例えば、装置の使用者により制御操作部１９が操作されて動作制御部４０に供給される操作出力信号ＳＸに応じてとられる。）にあるときには、動作制御部４０は、制御信号ＣＶによって、選択部３２に、映像信号切換部２８から得られる映像信号ＳＶを取り出す状態を，制御信号ＣＡによって、選択部３３に、音声信号切換部２９から得られる音声信号ＳＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせるもとで、あるいは、選択部３２，選択部３３，画像表示部１７及びヘッドフォーン部１２にこれらの状態をとらせることなく、制御信号ＣＲ及び制御信号ＣＭによって、記録再生機能部３４に、メモリースティック書込み・読出し制御部３５に装着されたメモリースティック２１を用いての、映像信号切換部２８から得られる映像信号ＳＶ及び音声信号切換部２９から得られる音声信号ＳＡについての記録を行う状態をとらせる。
【００８３】
それにより、画像表示部１７において、チューナ部３８における選局がなされた外部アンテナからのテレビジョン放送信号ＡＴに基づく画像の表示が行われるとともに、ヘッドフォーン部１２から、チューナ部３８における選局がなされた外部アンテナからのテレビジョン放送信号ＡＴに基づく音声の再生が行われるもとで、あるいは、画像表示部１７における画像表示及びヘッドフォーン部１２による音声再生が行われることなく、記録再生機能部３４による、メモリースティック書込み・読出し制御部３５に装着されたメモリースティック２１を用いての、映像信号切換部２８から得られる映像信号ＳＶ及び音声信号切換部２９から得られる音声信号ＳＡについての記録が行われる。
【００８４】
斯かる際に、記録再生機能部３４による、メモリースティック書込み・読出し制御部３５に装着されたメモリースティック２１を用いての記録に供される映像信号ＳＶ及び音声信号ＳＡは、ＶＨＦ及びＵＨＦテレビジョン放送信号等のテレビジョン放送信号に対するアンテナ性能に優れたものとされる外部アンテナからの、良好な受信状態のもとで得られるテレビジョン放送信号ＡＴに基づくものであるので、メモリースティック２１には高品質の映像信号及び音声信号が記録されることになる。
【００８５】
次に、動作制御部４０が、制御信号ＣＡＴによって、アンテナ出力切換部２７に、クレードル５０から付属コネクタ部２６を通じて供給される外部アンテナからのテレビジョン放送信号ＡＴを取り出す状態をとらせたもとで、第２の動作態様をとる場合には、動作制御部４０は、制御信号ＣＴによって、テレビジョン機能部３１におけるチューナ部３８に、例えば、テレビジョン放送信号ＡＴに含まれるＶＨＦ及びＵＨＦテレビジョン放送信号とＣＡＴＶ信号とについての自動順次選局動作を行わせるとともに、制御信号ＣＶＳによって、映像信号切換部２８に、チューナ部３８における自動順次選局動作に応じてテレビジョン機能部３１における映像・音声信号再生部３９から順次得られる映像信号ＳＶに、クレードル５０から付属コネクタ部２６を通じて供給される映像信号ＡＶを加えた映像信号グループを構成する映像信号の夫々を順次取り出す動作を自動的に行わせ、かつ、制御信号ＣＡＳによって、音声信号切換部２９に、チューナ部３８における自動順次選局動作に応じてテレビジョン機能部３１における映像・音声信号再生部３９から順次得られる音声信号ＳＡに、クレードル５０から付属コネクタ部２６を通じて供給される音声信号ＡＡを加えた音声信号グループを構成する音声信号の夫々を順次取り出す動作を自動的に行わせる。斯かる際には、チューナ部３８，映像信号切換部２８及び音声信号切換部２９から動作制御部４０に、チューナ部３８，映像信号切換部２８及び音声信号切換部２９の動作状況をあらわす情報が、図示が省略された情報伝送手段を通じて伝達され、動作制御部４０における制御信号ＣＴ，ＣＶＳ及びＣＡＳの形成及び送出に供される。
【００８６】
そして、斯かるチューナ部３８における自動順次選局動作と映像信号切換部２８及び音声信号切換部２９の夫々における映像信号及び音声信号を順次取り出す動作とによって、所望の映像信号ＳＶまたはＡＶ及び音声信号ＳＡまたはＡＡが得られると、動作制御部４０は、制御信号ＣＴによって、チューナ部３８に、自動順次選局動作を停止して、選択されたＶＨＦもしくはＵＨＦテレビジョン放送信号もしくはＣＡＴＶ信号の受信状態を継続する動作状態をとらせるとともに、制御信号ＣＶＳ及びＣＡＳによって、映像信号切換部２８及び音声信号切換部２９に、所望の映像信号ＳＶまたはＡＶ及び音声信号ＳＡまたはＡＡを取り出す状態を継続する状態をとらせる。
【００８７】
さらに、動作制御部４０は、記録再生機能部３４に、メモリースティック書込み・読出し制御部３５に装着されたメモリースティック２１を用いての、映像信号及び音声信号の再生を行わせるべき状態になく、かつ、音声再生機能部３７に、メモリースティック書込み・読出し制御部３５に装着されたメモリースティック２１を用いての、音声信号の再生を行わせるべき状態にないとき、制御信号ＣＶによって、選択部３２に、映像信号切換部２８から得られる映像信号ＳＶまたはＡＶを取り出す状態を，制御信号ＣＡによって、選択部３３に、音声信号切換部２９から得られる音声信号ＳＡまたはＡＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせる。
【００８８】
それにより、画像表示部１７において、チューナ部３８における選局がなされた外部アンテナからのテレビジョン放送信号ＡＴまたは外部信号源からの映像信号ＡＶに基づく画像の表示が行われるとともに、ヘッドフォーン部１２から、チューナ部３８における選局がなされた外部アンテナからのテレビジョン放送信号ＡＴまたは外部信号源からの音声信号ＡＡに基づく音声の再生が行われる。斯かる際には、テレビジョン放送信号ＡＴが、ＶＨＦ及びＵＨＦテレビジョン放送信号等のテレビジョン放送信号に対するアンテナ性能に優れたものとされる外部アンテナからのものであって、良好な受信状態のもとで得られるものとされるので、画像表示部１７において、チューナ部３８における選局がなされた外部アンテナからのテレビジョン放送信号ＡＴに基づく画像の表示が行われるとともに、ヘッドフォーン部１２からチューナ部３８における選局がなされた外部アンテナからのテレビジョン放送信号ＡＴに基づく音声の再生が行われる場合にも、質的に優れた画像の表示及び音声の再生が行われることになる。
【００８９】
一方、記録再生機能部３４に、メモリースティック書込み・読出し制御部３５に装着されたメモリースティック２１を用いての映像信号及び音声信号の再生を行わせるべき状態にあるときには、動作制御部４０は、制御信号ＣＲ及び制御信号ＣＭによって、記録再生機能部３４に、メモリースティック書込み・読出し制御部３５に装着されたメモリースティック２１を用いての、映像信号及び音声信号の再生を行う状態をとらせるとともに、制御信号ＣＶによって、選択部３２に、記録再生機能部３４から得られる再生映像信号ＳＰＶを取り出す状態を，制御信号ＣＡによって、選択部３３に、記録再生機能部３４から得られる再生音声信号ＳＰＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせる。
【００９０】
それにより、画像表示部１７において、記録再生機能部３４からの再生映像信号ＳＰＶに基づく画像の表示が行われるとともに、ヘッドフォーン部１２から、記録再生機能部３４からの再生音声信号ＳＰＡに基づく音声の再生が行われる。
【００９１】
また、音声再生機能部３７に、メモリースティック書込み・読出し制御部３５に装着されたメモリースティック２１を用いての、音声信号の再生を行わせるべき状態にあるときには、動作制御部４０は、制御信号ＣＵ及び制御信号ＣＭによって、音声再生機能部３７に、メモリースティック書込み・読出し制御部３５に装着されたメモリースティック２１を用いての、音声信号の再生を行う状態をとらせるとともに、制御信号ＣＡによって、選択部３３に、音声再生機能部３７から得られる再生音声信号ＳＵを取り出す状態を，制御信号ＣＤによって、画像表示部１７に表示動作を行わない状態を、及び、制御信号ＣＯによって、ヘッドフォーン部１２に適正な音声再生を行う状態を、夫々とらせる。
【００９２】
それにより、ヘッドフォーン部１２から、音声再生機能部３７からの再生音声信号ＳＵに基づく音声の再生が行われる。
【００９３】
さらに、記録再生機能部３４に、メモリースティック書込み・読出し制御部３５に装着されたメモリースティック２１を用いての映像信号及び音声信号の記録を行わせるべき状態にあるときには、動作制御部４０は、制御信号ＣＶによって、選択部３２に、映像信号切換部２８から得られる映像信号ＳＶまたはＡＶを取り出す状態を，制御信号ＣＡによって、選択部３３に、音声信号切換部２９から得られる音声信号ＳＡまたはＡＡを取り出す状態を，制御信号ＣＤによって、画像表示部１７に適正な表示動作を行う状態を、及び、制御信号ＣＯによって、ヘッドフォーン部１２に適正な音声再生を行う状態を、夫々とらせるもとで、あるいは、選択部３２，選択部３３，画像表示部１７及びヘッドフォーン部１２にこれらの状態をとらせることなく、制御信号ＣＲ及び制御信号ＣＭによって、記録再生機能部３４に、メモリースティック書込み・読出し制御部３５に装着されたメモリースティック２１を用いての、映像信号切換部２８から得られる映像信号ＳＶまたはＡＶ及び音声信号切換部２９から得られる音声信号ＳＡまたはＡＡについての記録を行う状態をとらせる。
【００９４】
それにより、画像表示部１７において、チューナ部３８における選局がなされた外部アンテナからのテレビジョン放送信号ＡＴまたは外部信号源からの映像信号ＡＶに基づく画像の表示が行われるとともに、ヘッドフォーン部１２から、チューナ部３８における選局がなされた外部アンテナからのテレビジョン放送信号ＡＴまたは外部信号源からの音声信号ＡＡに基づく音声の再生が行われるもとで、あるいは、画像表示部１７における画像表示及びヘッドフォーン部１２による音声再生が行われることなく、記録再生機能部３４による、メモリースティック書込み・読出し制御部３５に装着されたメモリースティック２１を用いての、映像信号切換部２８から得られる映像信号ＳＶまたはＡＶ及び音声信号切換部２９から得られる音声信号ＳＡまたはＡＡについての記録が行われる。
【００９５】
斯かる際に、記録再生機能部３４による、メモリースティック書込み・読出し制御部３５に装着されたメモリースティック２１を用いての記録に供される映像信号ＳＶ及び音声信号ＳＡは、ＶＨＦ及びＵＨＦテレビジョン放送信号等のテレビジョン放送信号に対するアンテナ性能に優れたものとされる外部アンテナからの、良好な受信状態のもとで得られるテレビジョン放送信号ＡＴに基づくものであるので、映像信号切換部２８から得られる映像信号ＳＶ及び音声信号切換部２９から得られる音声信号ＳＡについての記録が行われるときにも、メモリースティック２１には高品質の映像信号及び音声信号が記録されることになる。
【００９６】
さらに、動作制御部４０は、記録再生機能付情報出力装置６０が、その全体がクレードル５０から取り外されて、付属コネクタ部２６がクレードル５０に設けられた外部コネクタ部５１に連結されていない状態、及び、記録再生機能付情報出力装置６０が、図４に示されるように、その全体がクレードル５０に装着されて、付属コネクタ部２６がクレードル５０に設けられた外部コネクタ部５１に連結される状態のいずれのもとにおいても、例えば、装置の使用者により制御操作部１９が操作されて動作制御部４０に供給される操作出力信号ＳＸに応じて、テレビジョン機能部３１におけるチューナ部３８，映像信号切換部２８，音声信号切換部２９，記録再生機能部３４及びメモリー・スティック書込み・読出し制御部３５に、予め設定した時刻が到来したとき、映像信号切換部２８及び音声信号切換部２９により夫々取り出される映像信号ＳＶ及び音声信号ＳＡのメモリー・スティック２１への記録を行う状態を開始させ、かつ、その後の予め設定した時刻が到来したとき、当該記録を行う状態を終了させるための設定である予約記録設定を行う。斯かる予約記録設定が行われたときには、予め設定した時刻からその後の予め設定した時刻まで、動作制御部４０から、テレビジョン機能部３１におけるチューナ部３８，映像信号切換部２８，音声信号切換部２９，記録再生機能部３４及びメモリー・スティック書込み・読出し制御部３５に対して、映像信号切換部２８及び音声信号切換部２９により夫々取り出される映像信号ＳＶ及び音声信号ＳＡのメモリー・スティック２１への記録を行わせるものとされる制御信号ＣＴ，ＣＶＳ，ＣＡＳ，ＣＲ及びＣＭが送出される。
【００９７】
以上のように、図４に示される記録再生機能付情報出力装置６０にあっては、その全体がクレードル５０に装着されて付属コネクタ部２６がクレードル５０に設けられた外部コネクタ部５１に連結されるときには、テレビジョン機能部３１のチューナ部３８に、付属アンテナ３０（２５）からのテレビジョン放送信号ＳＴに代えて、ＶＨＦ及びＵＨＦテレビジョン放送信号等のテレビジョン放送信号に対するアンテナ性能に優れたものとされる外部アンテナからの、良好な受信状態のもとで得られるテレビジョン放送信号ＡＴが供給される状態が自動的にとられ、それにより、画像表示部１７において質的に優れた画像の表示が行われるとともにヘッドフォーン部１２において質的に優れた音声の再生が行われ、また、メモリースティック書込み・読出し制御部３５に装着されたメモリースティック２１に、高品質の映像信号及び音声信号が記録されることになる。
【００９８】
そして、記録再生機能付情報出力装置６０における付属コネクタ部２６のクレードル５０に設けられた外部コネクタ部５１との連結は、記録再生機能付情報出力装置６０の全体をクレードル５０に装着するだけの極めて簡単な操作によってなすことができるので、図４に示される記録再生機能付情報出力装置６０によれば、クレードル５０への装着がなされたもとにおいて、煩わしい作業が要されることのない、極めて簡単で容易な作業をもって、テレビジョン放送信号に応じた質の高い映像信号及び音声信号が得られて、質的に優れた画像及び音声の表示及び再生、さらには、記録がなされる状態が得られることになる。
【産業上の利用可能性】
【００９９】
上述のような本願の特許請求の範囲における請求項１から請求項６までのいずれかに記載された発明に係る携帯型電子機器は、例えば、テレビジョン放送信号の受信再生動作及び映像信号及び音声信号の記録再生動作、さらには、それに加えて音声信号の再生動作をも行うことができ、携帯に適した匣体をもって本体が構成されるものであって、性能面における改良が加えられた携帯型電子機器として、実用に供され得るものである。
【図面の簡単な説明】
【０１００】
【図１】本願の特許請求の範囲における請求項１から請求項６までのいずれかに記載された発明に係る携帯型電子機器の一例の外観を示す斜視図である。
【図２】本願の特許請求の範囲における請求項１から請求項６までのいずれかに記載された発明に係る携帯型電子機器の一例の外観を示す斜視図である。
【図３】図１及び図２に示される例がクレードルに装着された状態の外観を示す斜視図である。
【図４】図１、図２及び図３に示される例の構成例を、クレードルに装着された状態がとられたものとして示すブロック接続図である。
【符号の説明】
【０１０１】
１０・・・匣体，  １１・・・本体部，  １２・・・ヘッドフォーン部，  １７・・・画像表示部，  ２１・・・メモリースティック，  ２５・・・リード線，  ２６・・・付属コネクタ部，  ２７・・・アンテナ出力切換部，  ２８・・・映像信号切換部，  ２９・・・音声信号切換部，  ３０・・・付属アンテナ，  ３１・・・テレビジョン機能部，  ３２，３３・・・選択部，  ３４・・・記録再生機能部，  ３５・・・メモリースティック書込み・読出し制御部，  ３７・・・音声再生機能部，  ３８・・・チューナ部，  ３９・・・映像・音声信号再生部，  ４０・・・動作制御部，  ４２・・・電源電圧供給部，  ５０・・・クレードル，  ５１・・・外部コネクタ部，  ５５・・・装着検出部，  ５６・・・電源部，  ６０・・・記録再生機能付情報出力装置
【図１】
2005073006.tif 000003
【図２】
2005073006.tif 000004
【図３】
2005073006.tif 000005
【図４】
2005073006.tif 000006